【事件の表示】
　平成１１年特許願第３０９５２２号「ゴルフボール」拒絶査定不服審判事件〔平成１３年　５月　８日出願公開、特開２００１−１２０６８７〕について、次のとおり審決する。
【結　論】
　本件審判の請求は、成り立たない。
【理　由】
１　手続の経緯・本願発明
（１）手続の経緯
　本願は、平成１１年１０月２９日の出願であって、平成２０年１０月２０日に手続補正がなされ、同年１２月１６日付けで拒絶査定がなされ、これに対して、平成２１年１月２３日に拒絶査定不服審判の請求がなされるとともに、同年２月２３日付けで手続補正がなされたものである。
　
（２）本願発明
　本願の請求項１ないし３に係る発明は、平成２１年２月２３日付け手続補正によって補正された明細書の記載からみて、明細書の特許請求の範囲の請求項１ないし３に記載された事項によりそれぞれ特定されるとおりのものであると認められるところ、請求項１に係る発明（以下「本願発明」という。）は、次のとおりのものである。
　
「ゴルフボール本体の表面にクリアー塗膜（ただし、顔料を含有する塗膜を除く）が形成されたワンピースゴルフボールであって、
　前記ゴルフボール本体はブタジエンゴムを主成分とする基材ゴムと、共架橋剤と、アゾ顔料とを含有するゴム組成物を加硫成形して得られ、
　当該ワンピースゴルフボールの色調をＬａｂ方式で表わしたとき、Ｌ値、ｂ値が下記を満足するように、アゾ顔料が前記ゴム組成物に配合されていることを特徴とするゴルフボール。
　　　　　　　　Ｌ≧８５
　　　　　　　　ｂ＝９０〜１１０」
　
２　刊行物の記載事項
　原査定の拒絶の理由に引用され、本願の出願前に頒布された刊行物である特開平５−２６１１６６号公報（以下「引用例」という。）には、次の（１）ないし（３）の事項が記載されている。（下線は審決で付した。以下同じ。）
　
（１）　「【０００４】
【課題を解決するための手段】本発明者は現在、黄味を有するエナメル塗料で被覆されたゴルフボールは色彩色差計によるＬab色差のb差が１８以上あるために下地が露出した場合に外観の美しさを阻害してしまう原因ではないかと考えた。そこで、エナメル塗料被覆前後のb値の差を１５以内にすることで、下地が露出した際にも露出した部分を目立ちにくくすることができることを見出し本発明をなすに到った。
【０００５】即ち、本発明は
ゴルフボール表面に黄味を有するエナメル塗料を被覆した塗装ゴルフボール
【０００６】本発明に記載するＬab色差はＪＩＳ Ｚ８７０１又はＪＩＳ Ｚ８７２８に規定する三刺激値Ｘ、Ｙ、Ｚを用いて次式のように換算される。
【０００７】
【化１】
【０００８】[式中、Ｘn、Ｙn、Ｚn:完全拡散反射面のＸＹＺ系における三刺激値を示す。]
【０００９】上記式によりＬは明度を、abは色彩を表わし、特にaは赤−緑方向、bは黄−青方向が表わされる。またＬは大きくなると、明るく、aは大きくなると赤く、bは大きくなると黄を示す。
【００１０】本発明では、Ｌab色差は色彩色差計(ミノルタカメラ株式会社から市販のＣＲ−２２１)を使用して測定する。」
　
（２）　「【００１１】本発明で用いるエナメル塗料はb＝３０以上の黄味を有することを特徴としており、エナメル塗料被覆前後の色差がb＝１５以内特に１０以内にすることが望ましい。bが上記範囲外であると、ボールの外観の耐久性が悪く、商品価値が低くなる。本発明ではこのb値のみのコントロールでよいが、その他のＬ,a値も必要に応じてコントロールされる。
【００１２】Ｌ値は７０以上であり、エナメル塗料の被覆前後のＬ値の差が１０以内であることが好ましい。Ｌ値が上記範囲外であると上記bと同様にボールの外観の耐久性が悪く、商品価値を低くする。更に、a値もコントロールする必要があるが、エナメル塗料被覆前後のa値の差が１０以内、特に５以内が好適である。a値がこの範囲外の場合についても上記b，Ｌと同様にボールの外観の耐久性が悪く、商品価値を低くする。
【００１３】上記Ｌab値にゴルフボール表面およびエナメル塗膜をコントロールすることは、配合顔料の種類、量等の条件によりなし得る。
【００１４】本発明の製造に付されるゴルフボールとしては、特に限定されないが、例えば
基材ゴムと共架橋剤とを含有するゴム組成物を加硫成形して製造されたゴルフボール
【００１５】また本発明の塗装方法は特に限定されず、エアガン塗装、静電塗装が挙げられるが、上記塗装によりエナメル膜厚が３μm以上５０μm以下特に１０μm以上３０μm以下であることが望ましい。
【００１６】
【発明の効果】本発明によれば、
エナメル塗膜
　
（３）　「【００１７】
【実施例】本発明を実施例により更に詳細に説明する。本発明はこれら実施例に限定されてよい。
【００１８】実施例
１
以下のゴルフボール配合からワンピースゴルフボールを作成
【００１９】
　ゴルフボール配合例
　　　
成  分
重量部
　　
ハイシスポリブタジエン
１００
　　
酸化亜鉛
２３
　　
メタクリル酸
２４
　　
ジクミルパーオキサイド
１.５
　　
顔料(住化カラー製LB305(黄)、LB045(赤)使用)
０.００１〜３.０
【００２０】
上記配合を混練した後、１６０℃３０分間加硫成形を行なって１ピースゴルフボールを得た。ゴルフボールのＬab値を顔料の配合量で調製し、表−１および表−２に示す塗装前のゴルフボールを得た
【００２１】上記ゴルフボールをショットブラストを行なった後アルコールで洗浄、乾燥後膜厚２０μmになるようにウレタンペイントを塗装した。
ペイントは酸化チタン、黄鉛により着色し、ボールと同様Ｌabを調整した
【００２２】尚色彩測定はミノルタ製、ＣＲ−２２１使用してＬabを測定した。石、上記ボール、水を含んだボールミルを１５０rpmで５時間回転させた後、ボール外観を下記要領でチェックした。結果を表−１および表−２に示す。
【００２３】
【表１】
…（略）…
【００２５】◎　　エナメル塗料の露出部がほとんど目立たない
○　　エナメル塗料の露出部がボールを手にとるとわかる。
×　　エナメル塗料の露出部が２〜３mはなれてもわかる。」
　
（４）　摘記（１）ないし（３）を含む引用例全体、特に、
実施例１
　
「塗装前のゴルフボールの表面に、酸化チタン及び黄鉛を含み黄味を有するエナメル塗膜を被覆したワンピースゴルフボールであって、
　塗装前のゴルフボールは、ハイシスポリブタジエン１００重量部、酸化亜鉛２３重量部、メタクリル酸２４重量部、ジクミルパーオキサイド１．５重量部、顔料(住化カラー製LB305(黄)、LB045(赤)使用)０.００１〜３.０重量部を成分とするゴルフボール配合を加硫成形して得たものであり、
　塗装前のゴルフボールのＬａｂ値は、Ｌ＝８４．８９，ａ＝−６．８５，ｂ＝８９．５４であり、
　塗装後のゴルフボールのＬａｂ値は、Ｌ＝８４．７８，ａ＝−５．２３，ｂ＝８１．４０である、
　ゴルフボール。」
　
３　対比
　本願発明と引用発明とを対比する。
（１）引用発明の「塗装前のゴルフボール」、「ハイシスポリブタジエン」及び「メタクリル酸」は、それぞれ、本願発明の「ゴルフボール本体」、「ブタジエンゴムを主成分とする基材ゴム」及び「共架橋剤」に相当する。
　
（２）引用発明のワンピースゴルフボールは、「ゴルフボール本体（塗装前のゴルフボール）」の表面に、酸化チタン及び黄鉛を含み黄味を有するエナメル塗膜を被覆したものであるから、引用発明の「ワンピースゴルフボール」と本願発明の「ゴルフボール本体の表面にクリアー塗膜（ただし、顔料を含有する塗膜を除く）が形成されたワンピースゴルフボール」とは、「ゴルフボール本体の表面に塗膜が形成された」ものである点で一致する。
　
（３）引用発明の「顔料（住化カラー製LB305(黄)）」と、本願明細書の【００２２】に記載された「有機顔料である住化カラー社製のＬＢ３０５（黄色）」とは、製造会社、品番及び色がいずれも同一であることからみて、同一の顔料と認められる。
　そして、本願明細書の「【００１９】
　顔料としては、無機顔料として、べんがら（Ｆｅ2Ｏ3）、鉛丹（Ｐｂ3Ｏ4）、モリブレンレッド、カドミウムレッド等の赤色顔料；チタンイエロー（２０ＴｉＯ2−ＮｉＯ−Ｓｂ2Ｏ3）、リサージ（ＰｂＯ）、黄鉛（ＰｂＣｒＯ4）、黄色酸化鉄（ＦｅＯ（ＯＨ））、カドミウムイエロー等の黄色顔料が用いられる。
有機顔料
アゾ顔料
アゾ顔料が好ましく用いられる。アゾ顔料としては、ピグメントイエロー−１、ピグメントイエロー−１２、
　尚、顔料としては、
有機顔料である住化カラー社製のＬＢ３０５（黄色）
」との記載からみて、上記【００２４】【表２】に記載された本願発明の実施例１〜３すべてに共通して含まれている唯一の顔料である「住化カラー社製のＬＢ３０５（黄色）」は、本願発明の「アゾ顔料」に相当するものと認められる。
　したがって、引用発明の「顔料（住化カラー製LB305(黄)）」は、本願発明の「アゾ顔料」に相当する。
　
（４）引用発明の「ゴルフボール本体（塗装前のゴルフボール）」は、「ブタジエンゴムを主成分とする基材ゴム（ハイシスポリブタジエン）」、酸化亜鉛、「共架橋剤（メタクリル酸）」、ジクミルパーオキサイド、「アゾ顔料(顔料（住化カラー製LB305(黄)））」、顔料（住化カラー製LB045(赤)）を成分とするゴルフボール配合を加硫成形して得たものであるから、引用発明の「ゴルフボール本体」と本願発明の「ゴルフボール本体」とは、「ブタジエンゴムを主成分とする基材ゴムと、共架橋剤と、アゾ顔料とを含有するゴム組成物を加硫成形して得られ」たものである点で一致する。
　
（５）引用発明のワンピースゴルフボールは、塗装前のゴルフボールの表面に、酸化チタン及び黄鉛を含み黄味を有するエナメル塗膜を被覆し、塗装後のゴルフボールのＬａｂ値を、Ｌ＝８４．７８，ａ＝−５．２３，ｂ＝８１．４０としたものであるから、引用発明のワンピースゴルフボールは、エナメル塗膜に含まれる酸化チタン及び黄鉛により規定される「黄味」の色調を有するものである。
　また、本願明細書の【００１０】の「本発明のワンピースゴルフボールは、その色調をＬａｂ方式で表わしたときのＬ値、ｂ値が下記を満足する様にゴム組成物と顔料とを適宜組み合せることで、ボール表面に着色塗装することなく、鮮やかな黄味の色調が得られるものである。
　　　　　　　　Ｌ≧８５
　　　　　　　　ｂ＝９０〜１１０」
との記載からみて、本願発明のワンピースゴルフボールは、ゴム組成物と組み合せられる顔料により規定される「鮮やかな黄味の色調」を有するものである。
　したがって、引用発明の「ワンピースゴルフボール」と本願発明の「ワンピースゴルフボール」とは、「黄味の色調を有する」ものである点で一致する。
　
（６）上記（１）ないし（５）から、本願発明と引用発明とは、
「ゴルフボール本体の表面に塗膜が形成されたワンピースゴルフボールであって、
　前記ゴルフボール本体はブタジエンゴムを主成分とする基材ゴムと、共架橋剤と、アゾ顔料とを含有するゴム組成物を加硫成形して得られ、
　当該ワンピースゴルフボールは黄味の色調を有する、ゴルフボール。」
である点で一致し、次の点で相違する。
　
相違点：
　本願発明では、前記塗膜が「クリアー塗膜（ただし、顔料を含有する塗膜を除く）」であるので、前記ゴルフボールの黄味の色調は、前記ゴルフボール本体に含有される「アゾ顔料」により規定され、Ｌａｂ方式で表わしたとき「Ｌ≧８５，ｂ＝９０〜１１０」であるのに対して、
　引用発明では、前記塗膜が「黄味を有するエナメル塗膜」であるので、前記ゴルフボールの黄味の色調は、前記塗膜に含有される「酸化チタン及び黄鉛」により規定され、Ｌａｂ方式で表わしたとき「Ｌ＝８４．７８，ａ＝−５．２３，ｂ＝８１．４０」である点。
　
４　判断 
　上記相違点について検討する。
（１）顔料を含まないクリアー塗膜を表面に有するゴルフボールは、本願の出願前に周知である（以下「周知技術」という。例．特開平８−１０３５６号公報「【０００２】【従来の技術】
ゴルフボールは通常、外観を美しく見せるためまたは表面を傷から守るため、塗料が塗装され
その塗膜
顔料を含んでいないクリアー塗料
クリアー塗料のみから形成されている
顔料を含まない二液硬化型ウレタンペイント（クリアーペイント）を使用し、ゴルフボールの表面にスプレー塗装
（２）ゴルフボールの色調は、当業者がゴルフボールの使用者の嗜好などを考慮して適宜決定すべき設計事項というべきものである。
（３）引用例には、「上記Ｌab値にゴルフボール表面およびエナメル塗膜をコントロールすることは、配合顔料の種類、量等の条件によりなし得る。」（上記２（２）の【００１３】参照。）と記載されている。
（４）上記（１）ないし（３）から、引用発明において、ゴルフボール本体の表面の塗膜として、黄味を有するエナメル塗膜に代えて、顔料を含まないクリアー塗膜を用いるとともに、該クリアー塗膜の下地となる前記ゴルフボール本体に含有されるアゾ顔料の種類、量等の条件を変えることにより、ゴルフボールの黄味の色調を、Ｌａｂ方式で表わしたとき「Ｌ≧８５，ｂ＝９０〜１１０」であるものとなし、上記相違点に係る本願発明の構成となすことは、当業者が、引用例に記載された事項及び周知技術に基づいて容易になし得たことである。
　
（５）効果について
　本願発明の奏する効果は、当業者が、引用発明の奏する効果、引用例に記載された事項及び周知技術の奏する効果から予測できた程度のものである。
　
（６）まとめ 
　したがって、本願発明は、当業者が、引用例に記載された発明、引用例に記載された事項及び周知技術に基づいて容易に発明をすることができたものである。
　
５　むすび  
　以上のとおり、本願発明は、当業者が、引用例に記載された発明、引用例に記載された事項及び周知技術に基づいて容易に発明をすることができたものであるから、特許法第２９条第２項の規定により特許を受けることができない。
　よって、結論のとおり審決する。